(57)【要約】【課題】小型の波形整形器を実現すること。【解決手段】非線形係数が５．０ｋｍ−１・ｋｍ−１以上である高非線形光伝送路１ａ、１ｂ、１ｃ、１ｄ、１ｅと、非線形係数が１ｋｍ−１・Ｗ−１以下である低非線形光伝送路２ａ、２ｂ、２ｃ、２ｄ、２ｅとが交互に接続された構造を有する。高非線形光伝送路１ａ〜１ｅは、２次分散値β２の絶対値が４．０以上の等しい値を有し、それぞれの伝送路長Ｌａ〜ＬｅがＬａ＞Ｌｂ＞Ｌｃ＞Ｌｄとなるよう構成されている。例えば、Ｌａ＝１００ｍ、Ｌｂ＝５０ｍ、Ｌｃ＝２５ｍ等というように、長手方向に進むに従って伝送路長が短くなる。かかる構造とすることによって、等価的に分散減少光伝送路を実現すると共に、高非線形光伝送路２ａ〜２ｅを用いたことで全体の伝送路長を０．２５ｋｍ〜０．６７ｋｍ程度まで短くすることができ、波形整形器を小型化することが可能となる。【選択図】　　　図１
2004117590.tif 000002
【特許請求の範囲】
【請求項１】
入力された光をソリトン光に変換する波形整形器において、
高非線形光伝送路と、
前記高非線形光伝送路よりも低い非線形係数を有し、かつ前記高非線形光伝送路と２次分散値の絶対値が相違する低非線形光伝送路と、
を複数配設した構造を有することを特徴とする波形整形器。
【請求項２】
入力端からの距離がソリトン周期以下となる領域に光アイソレータをさらに備えたことを特徴とする請求項１に記載の波形整形器。
【請求項３】
前記光アイソレータは、異なる光伝送路の接合部に配設されることを特徴とする請求項２に記載の波形整形器。
【請求項４】
前記光アイソレータは、前記高非線形光伝送路の前段に配設されることを特徴とする請求項３に記載の波形整形器。
【請求項５】
非線形係数が３ｋｍ−１・Ｗ−１以上の高非線形光伝送路を備え、入力された光をラマン増幅しつつ断熱ソリトン圧縮によってパルス幅を圧縮するパルス幅圧縮手段と、
該パルス圧縮手段に対してラマン増幅のための励起光を供給する励起光源と、
該励起光源を前記パルス幅圧縮手段と光結合するための光結合手段と、
を備えたことを特徴とする光パルス発生装置。
【請求項６】
前記パルス幅圧縮手段前段に配設され、請求項１〜４のいずれか一つに記載の波形整形器と、該波形整形器前段に配設された発光手段とさらに備えたことを特徴とする請求項５に記載の光パルス発生装置。
【請求項７】
前記パルス圧縮手段前段に配設された光増幅器をさらに備えたことを特徴とする請求項５または６に記載の光パルス発生装置。
【請求項８】
前記パルス圧縮手段前段に配設された誘導ブリリュアン散乱抑制手段をさらに備えたことを特徴とする請求項５〜７のいずれか一つに記載の光パルス発生装置。
【請求項９】
伝送される光の繰返し周波数を抽出するクロック抽出装置と、
請求項１〜４に記載の波形整形器もしくは請求項５〜８に記載の光パルス発生装置を備えた光クロックパルス列発生装置と、
前記クロック抽出装置で抽出された周波数に基づいて、前記光クロックパルス列発生装置から出力される光を変調する光シャッター装置と、
を備えたことを特徴とする光再生システム。
【発明の詳細な説明】
【０００１】
【発明の属する技術分野】
この発明は、極短パルス幅のソリトン光を発生する技術に関し、特に、小型かつ構造が単純な波形整形器、光パルス発生装置および光再生システムに関するものである。
【０００２】
【従来の技術】
近年、インターネット等の爆発的な普及に伴い、光通信の分野において、信号伝送の高速化に対する要求が高まっている。信号伝送を高速化する手段の一つとして、高ビットレートの光信号、即ちパルス幅が数十〜数百ｆｓ程度となる信号光を供給可能な信号光源を使用することが挙げられる。しかし、光源に使用する半導体レーザ素子によって直接このような極短パルスの信号光を実現することは非常に困難であるため、現状では、半導体レーザ素子から出力された光をソリトン光に変換した後、パルス圧縮する光パルス発生装置によって、高ビットレートの光信号を実現している。
【０００３】
半導体レーザ素子から出力された光をソリトン光に変換する手段として、ビート波を分散シフト化ファイバ（Ｄｉｓｐｅｒｓｉｏｎ　Ｓｈｉｆｔｅｄ　Ｆｉｂｅｒ）中を伝搬させることによってソリトン変換を行う波形整形器が知られている。例えば、周波数がわずかに相違する２つの光を合波して分散シフト化ファイバ中を８ｋｍ〜２０ｋｍ程度伝搬させることによって、数ｐｓ程度のソリトン光を得ることができる。
【０００４】
また、ソリトン光をパルス圧縮する手法の一つとしては、断熱ソリトン圧縮を利用した光パルス圧縮器が知られている。具体的には、長手方向に分散値が減少する光ファイバ（Ｄｉｓｐｅｒｓｉｏｎ−Ｄｅｃｒｅａｓｉｎｇ　Ｆｉｂｅｒ：以下、「ＤＤＦ」と称する）や、ＤＤＦに光増幅器であるＥＤＦＡを組み合わせた長尺エルビウム添加分散減少ファイバ増幅器（Ｄｉｓｐｅｒｓｉｏｎ−Ｄｅｃｒｅａｓｉｎｇ　Ｅｒｂｉｕｍ　Ｄｏｐｅｄ　Ｆｉｂｅｒ　Ａｍｐｌｉｆｉｅｒ：以下、「ＤＤ−ＥＤＦＡ」と称する）を用いて光パルス圧縮器を構成している。長手方向に分散値が減少する光ファイバ中においてソリトン光を伝送させることによって、断熱ソリトン圧縮が生じ、パルス幅を低減することが可能となる。
【０００５】
しかし、断熱ソリトン圧縮を行うためには、入力光の波形および伝送させる光ファイバの分散値を精密に制御する必要があることから、上記構造の光パルス圧縮器の製造は一般に困難である。また、経年変化等によって入力光の波形が乱れたり、分散値のシフトが生じた場合には装置全体を交換する必要が生じるため、運用コストも増大する等の問題を有し、実用的ではない。
【０００６】
これに対し、同じ断熱ソリトン圧縮を基本原理とし、ラマン増幅器を組み込んだ光パルス圧縮器が注目を集めている。ラマン増幅は、非線形光学効果である誘導ラマン散乱を利用して光増幅を行うため、ＥＤＦＡ等と異なり、励起光の強度および波長を変動させることによって増幅利得を調整することが可能である。従って、入力される光の波形および分散シフト化ファイバの分散値の変動を補償するよう増幅利得を制御することによって、容易に断熱ソリトン圧縮が可能となる（例えば、非特許文献１参照。）。
【０００７】
【非特許文献１】
ホール（Ｒ．　Ｃ．　Ｒｅｅｖｅｓ−Ｈａｌｌ）　他、「ラマン増幅器における断熱圧縮に基づいたピコ秒ソリトンパルス光源　（Ｐｉｃｏｓｅｃｏｎｄ　ｓｏｌｉｔｏｎ　ｐｕｌｓｅ−ｄｕｒａｔｉｏｎ−ｓｅｌｅｃｔａｂｌｅ　ｓｏｕｒｃｅ　ｂａｓｅｄ　ｏｎ　ａｄｉａｂａｔｉｃ　ｃｏｍｐｒｅｓｓｉｏｎ　ｉｎ　Ｒａｍａｎ　Ａｍｐｌｉｆｉｅｒ）」　、エレクトロンレター（Ｅｌｅｃｔｒｏｎ．　Ｌｅｔｔ．）　、２０００年、第３６巻，ｐ．６２２−６２４
【０００８】
【発明が解決しようとする課題】
しかしながら、ラマン増幅を組み込んで光パルス圧縮器を構成した場合、光パルス圧縮器が大型化するという問題を有する。ラマン増幅は、ＥＤＦＡに比べて増幅効率が低く、十分な光増幅を行うためには通常、数十ｋｍのファイバ長を有する分散シフト化ファイバ等が必要となり、装置を小型化することが困難となる。このことは波形整形器についても同様であって、従来の構造ではファイバ長が８ｋｍ程度〜２０ｋｍ程度の分散シフト化ファイバが必要となり、小型化することが困難である。
【０００９】
また、ラマン増幅は非線形光学効果の一種であるため、光ファイバに入力される信号光の強度を上げる必要がある。特に、ソリトン断熱圧縮を行う場合には高次分散による影響を排除するために、信号光を高強度化することは必須の要件となる。信号光源として広く用いられるＤＦＢ（Ｄｉｓｔｒｉｂｕｔｅｄ　Ｆｅｅｄｂａｃｋ）レーザ等は、一般に高出力化が困難であるため、光ファイバに入力する前に信号光を増幅する必要性が生じる。
【００１０】
このため、ラマン増幅を組み込んだ光パルス圧縮器を構成するためには、さらに光増幅器としてＥＤＦＡ等を組み込む必要があり、装置構成が煩雑化すると共に、さらに小型化が困難となるという問題を有する。
【００１１】
また、仮にＥＤＦＡまたは高出力化が可能な光源を用いた場合であっても問題が生じる。一般に、ある閾値を超えた強度のレーザ光を伝搬させた場合、光ファイバ中において誘導ブリリュアン散乱（Ｓｔｉｍｕｌａｔｅｄ　Ｂｒｉｌｌｏｕｉｎ　Ｓｃａｔｔｅｒｉｎｇ）による散乱光が発生するため、光ファイバに入力する光の強度を増加させても、光ファイバ中を伝搬して外部に出力される光の強度が飽和することが知られている。従って、従来の光ファイバを用いた場合には光ファイバ中における光強度も一定の制限を受けるため、ソリトン断熱圧縮を効率的に行うことは困難である。
【００１２】
この発明は、上記従来技術の問題点に鑑みてなされたものであって、小型かつ構造が単純な波形整形器、光パルス発生装置および光再生システムを提供することを目的とする。
【００１３】
【課題を解決するための手段】
上記目的を達成するため、請求項１にかかる波形整形器は、入力された光をソリトン光に変換する波形整形器において、高非線形光伝送路と、前記高非線形光伝送路よりも低い非線形係数を有し、かつ前記高非線形光伝送路と２次分散値の絶対値が相違する低非線形光伝送路とを複数配設した構造を有することを特徴とする。
【００１４】
この請求項１の発明によれば、高非線形光伝送路と低非線形光伝送路とを複数配設することとしたため、等価的に分散減少伝送路を実現することができ、かつ高非線形光伝送路を用いたことで全体として高い分散特性を有する波形整形器を実現することができる。
【００１５】
また、請求項２にかかる波形整形器は、上記の発明において、入力端からの距離がソリトン周期以下となる領域に光アイソレータをさらに備えたことを特徴とする。
【００１６】
この請求項２の発明によれば、ソリトン周期以下となる距離に光アイソレータを配置することとしたため、波形整形器中における誘導ブリリュアン散乱の発生を抑制することができ、強度の高いソリトン光を出力することができる。
【００１７】
また、請求項３にかかる波形整形器は、上記の発明において、前記光アイソレータは、異なる光伝送路の接合部に配設されることを特徴とする。
【００１８】
この請求項３の発明によれば、光伝送路の接合部に光アイソレータを配設することとしたため、融着点数を減少させることが可能となり、光損失を低減した波形整形器を実現することができる。
【００１９】
また、請求項４にかかる波形整形器は、上記の発明において、前記光アイソレータは、前記高非線形光伝送路の前段に配設されることを特徴とする。
【００２０】
この請求項４の発明によれば、光アイソレータが高非線形光伝送路の前段に配設されることとしたため、誘導ブリリュアン散乱の発生をより効果的に抑制することができる。誘導ブリリュアン散乱は非線形光学効果の一種であることから、高非線形光伝送路において発生しやすい。そのため、高非線形光伝送路の前段に光りアイソレータを配設することによって誘導ブリリュアン散乱の発生をより効果的に抑制することができる。
【００２１】
また、請求項５にかかる光パルス発生装置は、非線形係数が３ｋｍ−１・Ｗ−１以上の高非線形光伝送路を備え、入力された光をラマン増幅しつつ断熱ソリトン圧縮によってパルス幅を圧縮するパルス幅圧縮手段と、該パルス圧縮手段に対してラマン増幅のための励起光を供給する励起光源と、該励起光源を前記パルス幅圧縮手段と光結合するための光結合手段とを備えたことを特徴とする。
【００２２】
この請求項５の発明によれば、高非線形光伝送路中を伝送する光に対してラマン増幅を行うこととしたため、高非線形光伝送路の伝送路長を短縮化できると共に、出力光のパルス幅をより圧縮することができる。
【００２３】
また、請求項６にかかる光パルス発生装置は、上記の発明において、前記パルス幅圧縮手段前段に配設され、請求項１〜４のいずれか一つに記載の波形整形器と、該波形整形器前段に配設された発光手段とさらに備えたことを特徴とする。
【００２４】
また、請求項７にかかる光パルス発生装置は、上記の発明において、前記パルス圧縮手段前段に配設された光増幅器をさらに備えたことを特徴とする。
【００２５】
また、請求項８にかかる光パルス発生装置は、上記の発明において、前記パルス圧縮手段前段に配設された誘導ブリリュアン散乱抑制手段をさらに備えたことを特徴とする。
【００２６】
また、請求項９にかかる光再生システムは、伝送される光の繰返し周波数を抽出するクロック抽出装置と、請求項１〜４に記載の波形整形器もしくは請求項５〜８に記載の光パルス発生装置を備えた光クロックパルス列発生装置と、前記クロック抽出装置で抽出された周波数に基づいて、前記光クロックパルス列発生装置から出力される光を変調する光シャッター装置とを備えたことを特徴とする。
【００２７】
この請求項９の発明によれば、光クロックパルス列発生装置として、本発明の光パルス発生装置を使用することとしたため、光パルスの強度揺らぎや時間揺らぎの少ない光クロックパルス列が得られる。
【００２８】
【発明の実施の形態】
以下に図面を参照して、本発明にかかる多波長光源および光通信システムの好適な実施の形態について説明する。図面の記載において、同一または類似部分には同一あるいは類似な符号を付している。また、図面は模式的なものであり、現実のものとは異なることに留意する必要がある。さらに、図面の相互間においても、互いの寸法の関係や比率が異なる部分が含まれていることはもちろんである。
【００２９】
（実施の形態１）
まず、実施の形態１にかかる波形整形器について説明する。実施の形態１にかかる波形整形器は、入力された光をソリトン光に変換するためのものである。図１（ａ）は、波形整形器の構造を示す模式図であり、図１（ｂ）は、実施の形態１にかかる波形整形器の群速度分散Ｄの分布の一例を示すグラフである。
【００３０】
本実施の形態１にかかる波形整形器は、図１（ａ）に示すように、非線形係数が例えば３ｋｍ−１・Ｗ−１以上、好ましくは５．０ｋｍ−１・ｋｍ−１以上であって、例えば高非線形光ファイバ（Ｈｉｇｈ　Ｎｏｎ−Ｌｉｎｅａｒ　Ｆｉｂｅｒ）によって形成される高非線形光伝送路１ａ、１ｂ、１ｃ、１ｄ、１ｅと、非線形係数が例えば３ｋｍ−１・Ｗ−１以下、好ましくは１ｋｍ−１・Ｗ−１以下であって、例えば単一モード光ファイバ（Ｓｉｎｇｌｅ　Ｍｏｄｅ　Ｆｉｂｅｒ）によって形成される低非線形光伝送路２ａ、２ｂ、２ｃ、２ｄ、２ｅとが交互に接続された構造を有する。なお、ここで高非線形光伝送路および低非線形光伝送路の個数については必ずしも５個である必要はなく、６個以上であっても良いし、４個以下であっても良い。
【００３１】
図１（ｂ）に示すように、高非線形光伝送路１ａ〜１ｅは、２次分散値β２の絶対値が４．０以上の等しい値を有し、それぞれの伝送路長Ｌａ〜ＬｅがＬａ＞Ｌｂ＞Ｌｃ＞Ｌｄとなるよう構成されている。例えば、Ｌａ＝１００ｍ、Ｌｂ＝５０ｍ、Ｌｃ＝２５ｍ等というように、長手方向に進むに従って伝送路長が短くなる。
【００３２】
本実施の形態１にかかる波形整形器は、高非線形光伝送路１ａ〜１ｅの伝送路長を長手方向に減少させることによって、等価的に分散減少ファイバを実現している。具体的には、高非線形光伝送路１ａと低非線形光伝送路２ａ、高非線形光伝送路１ｂと低非線形光伝送路２ｂ等を対としてとらえ、各対における群速度分散Ｄ（＝（−２πｃ／λ２）β２）の値の平均値を考えた場合、高非線形光伝送路と低非線形光伝送路との対における２次分散値の絶対値は長手方向に減少しているとみなすことができる。このため、本実施の形態１にかかる波形整形器に光を入力した場合、波形整形器中を伝搬するに従ってソリトン断熱圧縮が行われ、出力される光はソリトン光となる。
【００３３】
高非線形光伝送路１ａ〜１ｅは、非線形係数が例えば３ｋｍ−１・Ｗ−１以上、好ましくは５ｋｍ−１・Ｗ−１と高い値を備えた光伝送路によって形成されているために、分散性を高くすることが可能である。一般に、ソリトン断熱圧縮を行うためには、光伝送路中における非線形性と分散性とが釣り合っている必要がある。従って、従来のように低非線形性光伝送路のみで構成した場合に２次分散値を低く抑制する必要があることと異なり、本実施の形態１にかかる波形整形器では、非線形係数の増大に対応して分散性、具体的には２次分散値の絶対値を増加させることが可能となる。
【００３４】
このため、本実施の形態１にかかる波形整形器では、２次分散値の絶対値を増加させることが可能であり、かつ２次分散値の絶対値の高い高非線形光伝送路１ａ〜１ｅを用いることで光伝送路の伝送長を短縮化することが可能となる。理論上入力光をソリトン光に整形するために最低限必要となる伝送路長であるソリトン周期は、一般に２次分散値の絶対値に対応して決定され、２次分散値の絶対値が増大するとともにソリトン周期は短くなることが知られている。本実施の形態１にかかる波形整形器では、高非線形光伝送路１ａ〜１ｅを使用しているため、２次分散値の絶対値を大きくすることが可能となり、この結果、波形整形器全体における伝送路長が短い、小型の波形整形器を実現することができる。
【００３５】
具体的に、１００ｍＷのピークパワーを有する３ｐｓパルスを入力した場合における波形整形器の構造の一例について以下に説明する。高非線形光伝送路１ａ〜１ｅとして非線形係数が１５ｋｍ−１・Ｗ−１である高非線形光ファイバを使用し、低非線形伝送路２ａ〜２ｅとして単一モード光ファイバを使用した。これらを用いて最適化を行った結果、波形整形器の特性は次のようになる。すなわち、非線形長が０．６７ｋｍ、分散距離が０．１４ｋｍ、２次分散値の絶対値の平均値が４．３ｐｓ２／ｋｍであって、ソリトン周期が０．２５ｋｍである。このため、波形整形器全体の伝送路長は０．２５ｋｍ〜０．６７ｋｍ程度と、従来の８ｋｍ〜２０ｋｍ程度と比較して格段に短くすることができ、小型の波形整形器を実現することができる。
【００３６】
図２は、かかる構造の波形整形器を使用した場合の自己相関波形の変化について示すグラフである。図２上段は、波形整形器に入力させる入力光の自己相関波形を示し、図２下段は、波形整形器から出力される出力光の自己相関波形を示す。図２下段のグラフに示すように、伝送路長が短いにもかかわらず、上記構造の波形整形器によって十分なソリトン光が得られている。
【００３７】
次に、本実施の形態１にかかる波形整形器の利点について説明する。本実施の形態１にかかる波形整形器は、全体の伝送路長を短くすることによって、全体を小型化することが可能であるとともに、他の利点も有する。まず、伝送路長を短くすることによって、光損失による強度の低下を抑制することが可能となる。光伝送路として一般に使用される光ファイバは低損失であるものの、数ｋｍに渡って光を伝搬した場合、光ファイバ中における光損失を無視することはできない。しかし、本実施の形態１にかかる波形整形器では、入力光の伝搬距離を０．２５ｋｍ〜０．６７ｋｍ程度に抑制することができるため、光損失を実用上問題とならない程度に抑制することができる。
【００３８】
また、入力光の伝搬距離を短くすることによって、その他の非線形効果、例えば誘導ブリリュアン効果の発生を従来よりも抑制することができる。誘導ブリリュアン効果の発生を抑制することで出力されるソリトン光の強度の飽和を避けることが可能となり、高い強度のソリトン光を出力することが可能となる。
【００３９】
また、本実施の形態１にかかる波形整形器では、高非線形光伝送路と低非線形伝送路とを組み合わせた構造とすることで、副次的な利点も有する。高非線形光伝送路として一般に使用される高非線形光ファイバは、現時点では分散制御を精密に行うことが容易ではなく、単独で分散減少伝送路を構成することは困難である。しかし、本実施の形態１にかかる波形整形器は、高非線形光伝送路の伝送路長を制御することによって等価的に分散減少伝送路を実現しているため、高非線形光ファイバを用いたにも関わらず精密な分散制御を行うことが可能となると期待される。すなわち、所望の分散特性が得られない場合であっても、伝送路長を調整することで等価的に分散制御を行うことが可能となるという利点を有する。
【００４０】
（変形例）
次に、本実施の形態１にかかる波形整形器の変形例について説明する。変形例にかかる波形整形器は、非線形係数が例えば３ｋｍ−１・Ｗ−１以上、好ましくは５ｋｍ−１・Ｗ−１以上であって、２次分散値の絶対値が互いに相違する複数の高非線形光伝送路を組み合わせた構造を有する。
【００４１】
図３は、変形例にかかる波形整形器の分散Ｄの分布の一例を示すグラフである。図３に示すように、変形例にかかる波形整形器は、長手方向に進むに従って２次分散値の絶対値が減少するように高非線形光伝送路が順次接続された構造を有する。かかる構造によって波形整形器を構成した場合であっても、等価的に分散減少伝送路を実現することが可能である。また、高非線形光伝送路を用いることによって、図１（ａ）に示す構造の波形整形器と同様に伝送路長を短くすることができる。
【００４２】
（実施の形態２）
次に、実施の形態２にかかる波形整形器について説明する。図４は、実施の形態２にかかる波形整形器の構造を示す模式図である。実施の形態２にかかる波形整形器は、誘導ブリリュアン散乱の発生を抑制するため、実施の形態１にかかる波形整形器に光アイソレータを配置したものである。以下、本実施の形態２にかかる波形整形器について、図４を参照して説明する。
【００４３】
実施の形態２にかかる波形整形器は、図４に示すように、非線形係数が５．０ｋｍ−１・ｋｍ−１であって、例えば高非線形光ファイバによって形成される高非線形光伝送路１ａ、１ｂ、１ｃ、１ｄ、１ｅと、非線形係数が１ｋｍ−１・Ｗ−１以下であって、例えば単一モード光ファイバによって形成される低非線形光伝送路２ａ、２ｂ、２ｃ、２ｄ、２ｅとが交互に接続された構造を有する。また、本実施の形態２にかかる波形整形器は、入力端４からの距離がソリトン周期よりも短くなる位置に光アイソレータ３ａ、３ｂが配置された構造を有する。具体的には、低非線形光伝送路２ａと高非線形光伝送路１ｂとの間に光アイソレータ３ａが挿入され、低非線形光伝送路２ｂと高非線形光伝送路１ｃとの間に光アイソレータ３ｂが挿入されている。なお、高非線形光伝送路１ａ〜１ｅ並びに低非線形光伝送路２ａ〜２ｅは、実施の形態１と同様の構造を有するため、ここでの説明は省略する。
【００４４】
光アイソレータ３ａ、３ｂは、波形整形器内部における誘導ブリリュアン散乱の発生を抑制するためのものである。光アイソレータ３ａ、３ｂは、長手方向に伝送する光を透過する一方、戻り光を遮蔽する機能を有し、例えば、屈折率に異方性を有する複屈折結晶、波長板、ファラデー回転子等を組み合わせて形成される。
【００４５】
次に、光アイソレータ３ａ、３ｂが入力端４からの距離がソリトン周期よりも短い位置に配置される理由について説明する。本願発明者等は、光アイソレータが配置される位置と誘導ブリリュアン散乱が発生する入力光の強度（以下、「ＳＢＳ閾値強度」と称する）との相関関係について測定し、光アイソレータを配置する位置の最適化を行っている。
【００４６】
まず、本実施の形態２にかかる波形整形器を高非線形光伝送路１ａ〜１ｅと、低非線形光伝送路２ａ〜２ｅとを交互に組み合わせた構造のみによって構成し、光アイソレータを配置しない場合について説明する。光アイソレータを配置しない構成の場合、ＳＢＳ閾値強度は５０ｍＷ程度となり、入力光の強度が５０ｍＷ以上となった場合には誘導ブリリュアン散乱による戻り光の強度が急激に増加し、波形整形器から出力される光の強度は飽和することが確認された。また、光アイソレータを低非線形光伝送路２ｄと高非線形光伝送路１ｅとの間に配置して測定したところ、光アイソレータを配置しない場合と同様に、ＳＢＳ閾値強度は５０ｍＷであった。波形整形器をさらに長尺化し、入力端４からさらに遠い位置に光アイソレータを配置した場合もＳＢＳ閾値強度は５０ｍＷ程度となり、光アイソレータを挿入することによるＳＢＳ閾値強度の改善はみられなかった。
【００４７】
一方、光アイソレータを低非線形光伝送路２ｃと高非線形光伝送路２ｄとの間に配置した構成の場合、ＳＢＳ閾値強度は７５ｍＷ程度にまで改善され、光アイソレータを挿入することによるＳＢＳ閾値強度が改善されることが明らかとなった。さらに測定した結果、光アイソレータを低非線形光伝送路２ｂと高非線形光伝送路２ｃとの間に配置した場合のＳＢＳ閾値強度は１００ｍＷ、低非線形光伝送路２ａと高非線形光伝送路１ｂとの間に配置した場合には１５０ｍＷとなった。かかる測定結果から、入力端４からの距離が一定値以下となる位置に光りアイソレータを配置した場合には、ＳＢＳ閾値強度が一定の改善がみられることが示された。
【００４８】
これらの測定結果からＳＢＳ閾値強度の改善がみられる光アイソレータの挿入位置について検討したところ、入力端４からの距離がソリトン周期よりも短い位置に光アイソレータを配置することが有効であることが明らかになった。すでに説明したように、ソリトン周期は入力光がソリトン光に変換されるまでに必要とする伝送路長に対応する値である。すなわち、誘導ブリリュアン散乱は入力光がソリトン光に変換される途上において主に発生し、入力端４からの距離がソリトン周期よりも短くなる位置に光アイソレータを配置することによって誘導ブリリュアン散乱の発生を抑制できる。一方、入力光がソリトン光に変換された後は、誘導ブリリュアン散乱の発生はほとんど無く、ソリトン周期よりも遠方に光アイソレータを配置してもＳＢＳ閾値強度の改善はほとんどみられることはない。
【００４９】
従って、本実施の形態２にかかる波形整形器では、入力端４からの距離がソリトン周期よりも短くなる位置に光アイソレータ３ａ、３ｂを配置することによってＳＢＳ閾値強度を改善し、光強度の大きいソリトン光を出力可能な構造としている。
【００５０】
図５（ａ）〜図５（ｄ）は、光アイソレータを配置することによるＳＢＳ閾値強度の改善の程度を説明するためのグラフである。具体的には、図５（ａ）は比較のため光アイソレータを配置しない波形整形器における戻り光の強度について示し、図５（ｂ）〜図５（ｄ）は、光アイソレータ３ａのみを配置した場合、光アイソレータ３ｂのみを配置した場合および光アイソレータ３ａ、３ｂを配置した場合の戻り光の強度についてそれぞれ示す。
【００５１】
図５（ａ）のグラフから明らかなように、光アイソレータを配置しない場合には入力光の強度が５０ｍＷ以上の領域で誘導ブリリュアン散乱に起因した戻り光の強度が急激に増加、すなわちＳＢＳ閾値強度が５０ｍＷとなる。一方、図５（ｂ）〜図５（ｄ）に示すように、光アイソレータを配置することによってＳＢＳ閾値強度は著しく改善され、特に、光アイソレータ３ａ、３ｂの双方を配置した場合にはＳＢＳ閾値強度は２００ｍＷ以上にまで改善される。図５（ｄ）のグラフからも明らかなように、誘導ブリリュアン散乱の発生を効果的に抑制するためには入力端４からの距離がソリトン周期よりも短くなる領域に光アイソレータを複数配置した構造とすることも有効であり好ましい。
【００５２】
次に、高強度の光を入力した場合に本実施の形態２にかかる波形整形器によって得られる出力光の光特性について測定を行った。図６（ａ）は、出力光の自己相関波形を示すグラフであり、上段が光アイソレータを備えない波形整形器に関し、下段が本実施の形態２にかかる波形整形器に関するものである。また、図６（ｂ）は、出力光のスペクトル波形を示すグラフであり、上段が光アイソレータを備えない波形整形器に関し、下段が本実施の形態２にかかる波形整形器に関する。
【００５３】
高強度の光を入力した場合、光アイソレータを有さない波形整形器では誘導ブリリュアン散乱が発生することによって光伝送路中における光強度の値が制限される。従って、伝搬中の光強度の値は一定の値に制限され、十分な強度を得られないことからソリトン変換が満足に行われず、図６（ａ）の上段および図６（ｂ）の上段に示すようなグラフとなる。
【００５４】
一方、本実施の形態２にかかる波形整形器は、光アイソレータを配置することによって伝搬中における誘導ブリリュアン散乱の発生を抑制することができる。そのため、ソリトン圧縮現象が生じ、所望のピコ秒ソリトンパルス列が得られていることが図６（ａ）の下段および図６（ｂ）の下段のようなグラフを得ることができる
【００５５】
なお、光アイソレータ３ａまたは光アイソレータ３ｂは、高非線形光伝送路もしくは低非線形光伝送路の途上に配置する構造としてもよいが、異なる光伝送路の接合部に配置することが好ましい。接合部に配置することで波形整形器の製造行程の煩雑化を避けられるだけでなく、例えば、異なる光伝送路の端部をそれぞれ両端ピグテイルとした光アイソレータを形成することによって、異なる光伝送路間の融着点数を減少させることが可能となる。光伝送路間の融着部分においては一定の光損失が発生することから、本実施の形態２にかかる波形整形器は、融着点数を減少させることによって波形整形器中における光損失を低減できるという利点を有する。
【００５６】
また、図４に示すように波形整形器が高非線形光伝送路と低非線形光伝送路との組み合わせによって形成される場合には、光アイソレータを高非線形光伝送路の前段に配置することが好ましい。誘導ブリリュアン散乱は非線形光学効果の一種であるため、非線形係数の高い高非線形光伝送路中において特に発生しやすい。従って、高非線形光伝送路の前段にアイソレータを設けることによって、高非線形光伝送路中で発生した戻り光を遮蔽することによってより効果的に誘導ブリリュアン散乱の発生を抑制できる。
【００５７】
なお、実施の形態１の変形例にかかる波形整形器に光アイソレータを挿入した構造も誘導ブリリュアン散乱の抑制には効果的である。この場合であっても、入力端からの距離がソリトン周期よりも短い領域に光アイソレータを配置することで、ＳＢＳ閾値強度を改善することができ、高い光強度を有するソリトン光を出力することが可能となる。
【００５８】
（実施の形態３）
次に、実施の形態３にかかる光パルス発生装置について説明する。図７は、本実施の形態３にかかる光パルス発生装置の構造を示す模式図である。光パルス発生装置の構造は、ソリトン光源６と、光パルス圧縮器７とに大別される。ソリトン光源６は、光パルス圧縮器７に対してソリトン光を供給するためのものであり、光パルス圧縮器７は、入力されたソリトン光に対してソリトン断熱圧縮を施してパルス幅を圧縮するためのものである。
【００５９】
ソリトン光源６は、例えばビート光を出力する発光部８と、発光部８から出力された光をソリトン光に整形する波形整形器９とを備える。また、光パルス圧縮器７は、外部から光を入力するための入力端１０と、入力端１０に接続されたパルス圧縮伝送路１１と、出力端１２とを備える。また、パルス圧縮伝送路１１と出力端１２との間には合波器１３が配設され、合波器１３には励起光源１４が接続され、パルス圧縮伝送路１１に対して励起光を供給可能な構造を有する。
【００６０】
まず、ソリトン光源６について説明する。ソリトン光源６を構成する発光部８は、本実施の形態３ではビート光を出力するものを用いる。具体的には、発光部８は、周波数ｆ０のレーザ光を出力する半導体レーザ素子１５と、周波数ｆ０＋Δｆのレーザ光を出力する半導体レーザ素子１６と、半導体レーザ素子１５、１６から出力されるレーザ光を合波するための合波器１７とを備えた構造を有する。周波数ｆ０、ｆ０＋Δｆのレーザ光を合波することにより、発光部８は、繰り返し周期Δｆのビート波を出力する機能を有する。
【００６１】
また、ソリトン光源６を構成する波形整形器９は、任意の構造のものを用いることが可能であるが、実施の形態１または２に記載された波形整形器を用いることが好ましい。実施の形態１または２にかかる波形整形器を用いることによって、装置が小型で、高い出力のソリトン光を供給することが可能となるためである。
【００６２】
次に、光パルス圧縮器７の構造について説明する。まず、パルス圧縮伝送路１１は、異常分散、すなわち正の分散値をする光ファイバによって形成される。また、パルス圧縮伝送路１１は、非線形係数γが例えば３ｋｍ−１・Ｗ−１以上、好ましくは５．０ｋｍ−１Ｗ−１以上、より好ましくは１５ｋｍ−１Ｗ−１の値を有する。以下では、パルス圧縮伝送路１１として非線形係数γが１５ｋｍ−１Ｗ−１となるものについて説明を行う。
【００６３】
励起光源１４は、パルス圧縮伝送路１１に対して励起光を供給するためのものである。具体的には、励起光源１４は、例えば半導体レーザ素子によって構成され、所定の波長のレーザ光をパルス圧縮伝送路１１に対して出力する機能を有する。なお、本実施の形態３では励起光の進行方向と増幅される光の進行方向とが反対方向となるいわゆる後方励起方式によってラマン増幅を行う構造を有することとする。ただし、励起光と増幅される光の進行方向が同一となる前方励起方式を採用しても良く、前方励起方式と後方励起方式を組み合わせた双方向励起方式を採用しても良い。
【００６４】
また、励起光源１４から出力される光は、増幅される光の波長に対して１００ｎｍ程度短波長側にシフトした波長を有するものとする。ラマン増幅においては、励起光の波長に対して１００ｎｍ程度長波長側にシフトした波長において増幅利得のピークが得られるためである。
【００６５】
つぎに、本実施の形態３にかかる光パルス圧縮器の動作について説明する。まず、外部から所定の条件を満たすソリトン光が入力端１０を介してパルス圧縮伝送路１１に入力される。ここで、一例として、本実施の形態３にかかる光パルス圧縮器に入力されるソリトン光は、基本ソリトン条件を満たすものとする。入力されたソリトン光は、パルス圧縮伝送路１１中において断熱ソリトン圧縮され、パルス圧縮された光が出力端１２から外部に出力される。
【００６６】
パルス圧縮伝送路１１中におけるソリトン断熱圧縮について、以下に詳細に説明する。基本ソリトン条件を満たすソリトン光は、本実施の形態３にかかる光パルス圧縮器に入力された後も、パルス圧縮伝送路１１中を伝搬中に渡って基本ソリトン条件、すなわちソリトン次数が１となる条件を保持しようとする性質を有する。ソリトン次数Ｎは、以下の（１）式によって与えられる。
Ｎ＝（γＰＴ２／｜β２｜）１／２　・・・（１）
ここで、γはパルス圧縮伝送路１１の非線形係数であり、β２はパルス圧縮伝送路１１の２次分散値である。また、Ｐはパルス圧縮伝送路１１中におけるソリトン光のピーク強度、Ｔはパルス圧縮伝送路１１中におけるソリトン光のパルス幅である。
【００６７】
パルス圧縮伝送路１１中を伝搬するソリトン光は、ソリトン次数を１に保持する性質を有するため、パルス圧縮伝送路１１中全般に渡って（１）式における左辺の値が１となる。また、パルス圧縮伝送路１１中では、励起光源１４によって励起光が供給されることでラマン増幅が生じ、伝搬するソリトン光のピーク強度Ｐは増大する。
【００６８】
従って、（１）式の右辺ではソリトン光が伝搬するに従ってＰの値が増大する。これに対して、基本ソリトン条件を維持するため、パルス圧縮伝送路１１中の伝搬中においてはＮ＝１が維持され、かつ非線形係数γは特に変動しない。従って、（１）式の等号を維持するために、伝搬するソリトン光のパルス幅Ｔが減少することとなり、パルス幅Ｔの圧縮が行われることとなる。
【００６９】
本実施の形態３にかかる光パルス圧縮器は、高い非線形係数γを有することから、入力されたソリトン光に対して、短いファイバ長で効率良くラマン増幅を行うことができる。ラマン増幅は、非線形光学効果の一種であることから、非線形係数γの値が大きいほど単位ファイバ長あたりの増幅効率を高めることが可能となる。
【００７０】
このため、所定のピーク強度Ｐを得るために必要なファイバ長を短くすることが可能となり、光パルス圧縮に使用するパルス圧縮伝送路１１のファイバ長は２ｋｍ程度と、非常に短くすることができる。このことは光パルス圧縮器の小型化の観点からは非常に重要な利点であって、パルス圧縮伝送路１１を使用することによって小型の光パルス圧縮器を実現できるという利点を有する。具体的には、従来の光パルス圧縮器と比べてパルス圧縮伝送路１１を１／１０程度の伝送路長とすることが可能であり、小型の光パルス圧縮器によってパルス発生装置を構成することができる。
【００７１】
また、光パルス圧縮器７によれば、所定の２次分散値β２の絶対値に対して、入力されるソリトン光の強度を従来よりも低減することが可能である。図８は、２次分散値β２の絶対値に対して基本ソリトン励起に必要な入力光の強度の依存性を示すグラフである。図８において、曲線ｌ１は従来の光パルス圧縮器について示し、曲線ｌ２は、本実施の形態３における光パルス圧縮器７について示す。
【００７２】
図８からも明らかなように、例えば｜β２｜＝１ｐｓ２／ｋｍの場合において、従来は入力光が１５０ｍＷ程度の強度を必要としていたのに対し、本実施の形態３における光パルス圧縮器７は、２０ｍＷ程度の強度の光を入力することによってパルス圧縮を行うことができる。半導体レーザ素子を光源とした場合２０ｍＷ程度の出力であれば低い注入電流で容易に実現できるため、本実施の形態３にかかる光パルス発生装置では、光増幅器を省略することが可能であると共に、低消費電力の光パルス発生装置を実現することができる。
【００７３】
また、本実施の形態３における光パルス圧縮器７は、高い非線形係数γを有するために、従来の光パルス圧縮器よりも２次分散値β２の値が大きな光ファイバを用いることが可能である。上記したように、入力されるソリトン光は、基本ソリトン条件、具体的には（１）式においてＮ＝１を満たすことが好ましい。従って、非線形係数γの値が小さい場合、２次分散値β２の値を大きくするためには、入力されるソリトン光が高い強度が必要となることから、一般に２次分散値β２の値は低く抑える必要があった。本実施の形態３にかかる光パルス圧縮器では、非線形係数γが高い値を有することから、これに対応して２次分散値β２も高い値に設定しても入力されるソリトン光の強度を高くする必要はなく、低強度の入力光によって高効率のパルス圧縮を行うことが可能である。
【００７４】
パルス圧縮伝送路１１において、２次分散値β２の値を高くすることによる利点について説明する。断熱ソリトン圧縮によるパルス幅の圧縮は、基本的には上記した（１）式に従って行われるが、実際には高次の分散値によってパルス幅の圧縮は制限されることが知られている。具体的には、３次分散値β３、４次分散値β４等が２次分散値β２と比較して所定以上の値を有する場合、ソリトン光のパルス幅の圧縮を効率的に行うことができなくなる。本実施の形態３のように、２次分散値β２の値が高くなるパルス圧縮伝送路１１を用いた場合には、相対的に高次の分散値の値は低下することから、ソリトン光のパルス圧縮を行う際に高次分散値の影響を排除することが可能となる。さらに、パルス圧縮伝送路１１は３次分散値β３の値を従来よりも低くすることが可能であって、例えばβ３の値を従来の１／３程度である０．０３ｐｓ３／ｋｍ程度とすることができる。このことによって、出力光のパルス幅をより小さい値にまで圧縮することが可能となる。
【００７５】
図９は、パルス圧縮伝送路１１に入力する光の強度と圧縮パルス幅の限界との関係を示すグラフである。ここで、曲線ｌ３は、本実施の形態３にかかる光パルス圧縮器について示す曲線であり、曲線ｌ４は、比較のため従来の分散シフト化ファイバを用いた光パルス圧縮器について示す曲線である。曲線ｌ３と曲線ｌ４との比較から明らかなように、本実施の形態３にかかる光パルス圧縮器は、同一の入力光強度に対してより狭い範囲にまでパルス圧縮を行うことが可能である。具体的には、従来の分散シフト化ファイバを用いた場合には１０ｍＷ程度の入力光強度の場合には数ｐｓ程度であっても圧縮することが困難であるのに対して、本実施の形態３にかかる光パルス圧縮器では、２００ｆｓ程度にまでパルス幅を圧縮することができる。
【００７６】
また、１００ｆｓまでパルス幅を圧縮する場合、従来は２５０ｍＷ程度の入力光強度が必要であったのに対し、本実施の形態３における光パルス圧縮器では、非線形係数γ＝１５ｋｍ−１・Ｗ−１、３次分散値β３＝０．１ｐｓ３／ｋｍの場合は４６ｍＷで足り、γ＝１５ｋｍ−１／Ｗ−１、β３＝０．０３ｐｓ３／ｋｍの場合は１５ｍＷで足りる。さらに、γ＝２５ｋｍ−１・Ｗ−１、β３＝０．０３ｐｓ３／ｋｍの場合には入力光の強度を８．３ｍＷであっても１００ｆｓのパルス幅を実現することができる。
【００７７】
なお、パルス圧縮伝送路１１は、従来の分散シフト化ファイバと比較して高次の分散値を低い値とすることが可能である。例えば、３次分散値β３の値について、分散シフト化ファイバでは０．１ｐｓ３／ｋｍ程度が一般的なのに対して、パルス圧縮伝送路１１では、０．０３ｐｓ３／ｋｍ程度にまで３次分散値を低減することが可能である。３次分散値等の値を低減することが可能であることから、パルス圧縮伝送路１１では、高次の分散値に対して２次分散値の値を相対的に高めることが可能となる。例えば、パルス圧縮伝送路１１の３次分散値が０．０３ｐｓ３／ｋｍの場合には、１００ｆｓ程度にまでパルス幅を圧縮する場合に必要な２次分散値は、従来の分散シフト化ファイバでは２ｐｓ２／ｋｍ程度必要となるのに対して、本実施の形態３にかかる光パルス圧縮器では、０．６ｐｓ２／ｋｍ程度でも十分となる。
【００７８】
（変形例）
次に、実施の形態３にかかる光パルス発生装置の変形例について説明する。図１０は、変形例にかかる光パルス発生装置の構造を示す模式図である。変形例においては、ソリトン光源６と光パルス圧縮器７との間に誘導ブリリュウアン散乱の発生を抑制するＳＢＳ発生抑制部２０と、光増幅器２１とを配置した構造を有する。ここで、ＳＢＳ発生抑制部２０は、従来用いられて来たものを用いても良いが、実施の形態２と同様に光伝送路中に光アイソレータを配置する構造としても良い。また、ＳＢＳ発生抑制部２０および光増幅器２１のいずれか一方のみを配置する構造としても良い。
【００７９】
以上、本発明を実施の形態１〜３に渡って説明してきたが、本発明はこれらの実施の形態に限定されるのではなく、当業者であれば様々な変形例、実施例に想到することが可能である。例えば、実施の形態１および実施の形態２において、入力端４の前段にもう一対の高非線形光伝送路および低非線形伝送路を配設する構造としても良い。ここで、前段に配設する高非線形光伝送路の伝送路長を高非線形光伝送路１ａよりも短くすることで、より効率的にソリトン変換を行うことが可能となる。
【００８０】
また、実施の形態３では波形整形器９と光パルス圧縮器７とを別個配置する構造としたが、これらを一体的に形成することとしても良い。光パルス圧縮器７を構成するパルス圧縮伝送路１１は、高い非線形係数を有することからビート光に対してソリトン断熱圧縮を行うことが可能であるため、例えばパルス圧縮伝送路１１の伝送路長を増大させることによって波形整形器９と光パルス圧縮器７とを一体的に形成することができる。
【００８１】
（実施の形態４）
次に、実施の形態４について説明する。実施の形態４にかかる光再生システムは、実施の形態１もしくは２にかかる波形整形器、または実施の形態３にかかる光パルス発生装置を利用したものである。図１１は、実施の形態４にかかる光再生システムの構造を示す模式図である。以下、図１１を参照して、上述した波形整形器を用いた光再生システムについて説明する。
【００８２】
図１１に示す光再生システム１００は、増幅装置１０２と、合波器１０３と、クロック抽出装置１０４と、実施の形態１または２にかかる波形整形器（図１、図４参照）を備えた光パルス発生装置もしくは実施の形態３にかかる光パルス発生装置（図７、図１０を参照）から構成される光クロックパルス列発生装置１０６と、光シャッター装置１０８とを含む。増幅装置１０２は、減衰した信号光を増幅するもので、例えばエルビウム添加ファイバ型増幅器、ラマン増幅器、半導体増幅器、パラメトリック増幅器等をあげることができる。
【００８３】
クロック抽出装置１０４は、信号光パルスの繰返し周波数を抽出するもので、図示しないが、例えば、受光素子、電気的クロック抽出回路、半導体レーザから構成される電子回路を基本とする装置を含んで形成される。この他にも、増幅装置、非線形光学媒質、光フィルタから構成される全光型クロック抽出装置もあげられる。ここで、非線形光学媒質とは、例えば高非線形ファイバおよび半導体素子があげられる。
【００８４】
光クロックパルス列発生装置１０６は信号光パルス繰り返し周波数を有する光クロックパルス列を発生されるもので、上述した波形整形器（図１、図４を参照）を備えた光パルス発生装置もしくは光パルス発生装置（図７、図１０を参照）を利用する。構成、機能等については既に述べたため、ここでの説明は省略する。
【００８５】
光シャッター装置１０８は、合波器１０３で分波された信号光によって光クロックパルス列発生装置１０６の出力光を光変調する装置である。
【００８６】
実施の形態４にかかる光再生システム１００では、伝送されてきた信号光を、まず増幅装置１０２によって増幅し、増幅された信号光を合波器１０３によって分岐し、一方の信号光はそのまま伝播されて光シャッター装置１０８に入射される。他方の信号光は、クロック抽出装置１０４に入射される。クロック抽出装置１０４の出力電気信号によって制御される光クロックパルス列発生装置１０６の出力光は光シャッター装置１０８に入射される。光シャッター装置１０８において、合波器１０３から伝播された信号光で光クロックパルス列を光変調されることによって、信号光タイミングが再生される。
【００８７】
このように、光クロックパルス列発生装置１０６として、本発明の光パルス発生装置を使用すると、光パルスの強度揺らぎや時間揺らぎの少ない光クロックパルス列が得られる。
【００８８】
【発明の効果】
以上説明したように、この発明によれば、高非線形光伝送路と低非線形光伝送路とを複数配設し、高非線形光伝送路と低非線形光伝送路の２次分散値の絶対値を互いに相違させることとしたため、等価的に分散減少伝送路を実現することができ、かつ高非線形光伝送路を用いたことで全体として高い分散特性を有する波形整形器を実現することができるという効果を奏する。
【００８９】
また、この発明によれば、ソリトン周期以下となる距離に光アイソレータを配置することとしたため、波形整形器中における誘導ブリリュアン散乱の発生を抑制することができ、強度の高いソリトン光を出力することができるという効果を奏する。
【００９０】
また、この発明によれば、光伝送路の接合部に光アイソレータを配設することとしたため、融着点数を減少させることが可能となり、光損失を低減した波形整形器を実現することができるという効果を奏する。
【００９１】
また、この発明によれば、光アイソレータが高非線形光伝送路の前段に配設されることとしたため、誘導ブリリュアン散乱の発生をより効果的に抑制することができる。誘導ブリリュアン散乱は非線形光学効果の一種であることから、高非線形光伝送路において発生しやすい。そのため、高非線形光伝送路の前段に光りアイソレータを配設することによって誘導ブリリュアン散乱の発生をより効果的に抑制することができるという効果を奏する。
【００９２】
また、この発明によれば、高非線形光伝送路中を伝送する光に対してラマン増幅を行うこととしたため、高非線形光伝送路の伝送路長を短縮化できると共に、出力光のパルス幅をより圧縮することができるという効果を奏する。
【００９３】
また、この発明によれば、光再生システムを形成する光クロックパルス列発生装置として、上記の波形整形器および／または光パルス発生装置を使用する構成としたため、光パルスの強度揺らぎや時間揺らぎの少ない光クロックパルス列が得られるという効果を奏する。
【図面の簡単な説明】
【図１】（ａ）は、実施の形態１にかかる波形整形器の構造を示す模式図であり、（ｂ）は、実施の形態１にかかる波形整形器の群速度分散の分布の一例を示すグラフである。
【図２】実施の形態１にかかる波形整形器によってソリトン変換を行った場合の入力光と出力光の自己相関関係の変化について説明するためのグラフである。
【図３】実施の形態１の変形例にかかる波形整形器における群速度分散の分布の一例を示すグラフである。
【図４】実施の形態２にかかる波形整形器の構造を示す模式図である。
【図５】（ａ）〜（ｄ）は、アイソレータの有無および配置する位置による戻り光の強度の変化について説明するためのグラフである。
【図６】（ａ）は出力光の自己相関関係を示すグラフであり、（ｂ）は、出力光のスペクトル波形を示すグラフである。
【図７】実施の形態３にかかる光パルス発生装置の構造を示す模式図である。
【図８】２次分散値の絶対値に対して基本ソリトン励起に必要な入力光の強度の依存性を示すグラフである。
【図９】パルス圧縮伝送路に入力する光の強度と圧縮パルス幅の限界値との関係を示すグラフである。
【図１０】実施の形態３の変形例にかかる光パルス発生装置の構造を示す模式図である。
【図１１】本発明の波形整形器を配置させた光再生システムの一構成例を示す図である。
【符号の説明】
１ａ〜１ｅ　　　　高非線形光伝送路
２ａ〜２ｅ　　　　低非線形伝送路
３ａ、３ｂ　　　　光アイソレータ
４　　　　　入力端
６　　　　　ソリトン光源
７　　　　　光パルス圧縮器
８　　　　　発光部
９　　　　　波形整形器
１０　　　入力端
１１　　　パルス圧縮伝送路
１２　　　出力端
１３　　　合波器
１４　　　励起光源
１５　　　半導体レーザ素子
１６　　　半導体レーザ素子
１７　　　合波器
２０　　　発生抑制部
２１　　　光増幅器
１００　光再生システム
１０２　増幅装置
１０３　カプラー
１０４　クロック抽出装置
１０６　クロック再生装置
１０８　光シャッター装置
【図１】
2004117590.tif 000003
【図２】
2004117590.tif 000004
【図３】
2004117590.tif 000005
【図４】
2004117590.tif 000006
【図５】
2004117590.tif 000007
【図６】
2004117590.tif 000008
【図７】
2004117590.tif 000009
【図８】
2004117590.tif 000010
【図９】
2004117590.tif 000011
【図１０】
2004117590.tif 000012
【図１１】
2004117590.tif 000013